(57)【要約】【課題】隣り合う屋根パネル間の防水性を向上させることが可能な屋根パネルの連結構造および連結方法を提供することを目的とする。【解決手段】パネル本体２の両側端部付近のジョイント領域Ｔに防水手段が設けられており、この防水手段は、隣り合う下層シート３ｂ同士と、これら隣り合う下層シート３ｂ同士の継ぎ目を覆う第１防水テープ６と、この第１防水テープ６の両側縁部に沿って設けられるシーリング材７と、これら第１防水テープ６およびシーリング材７を被覆する隣り合う上層シート３ａ同士と、これら隣り合う上層シート３ａ同士の継ぎ目を覆う第２防水テープ８とからなり、ジョイント領域Ｔには、防水手段の上からジョイント用屋根材５が取り付けられている。これにより、防水手段およびジョイント用屋根材によって、隣り合うパネル本体の隣り合う側端部間の継ぎ目を多重に被覆できる。【選択図】図１
2009270369.tif 000002
【特許請求の範囲】
【請求項１】
パネル本体と、このパネル本体の上面に敷設されるとともに、上層シートと下層シートとを有する防水シートと、この防水シートの上面に、前記パネル本体の両側端部から所定の間隔をあけて取り付けられる複数の屋根材とを備える屋根パネルを、屋根の勾配方向と直交する方向に沿って連結してなる屋根パネルの連結構造であって、
前記パネル本体の両側端部付近は、隣り合うパネル本体の隣り合う側端部間に架け渡されるジョイント用屋根材を取り付けるためのジョイント領域とされており、このジョイント領域には、前記隣り合うパネル本体の隣り合う側端部間の継ぎ目を防水する防水手段が設けられており、
この防水手段は、前記隣り合うパネル本体の隣り合う下層シート同士と、
これら隣り合う下層シート同士の継ぎ目に沿って貼り付けられるとともに、この継ぎ目を覆う第１防水テープと、
この第１防水テープの両側縁部に沿って設けられるシーリング材と、
これら第１防水テープおよびシーリング材を被覆する前記隣り合うパネル本体の隣り合う上層シート同士と、
これら隣り合う上層シート同士の継ぎ目に沿って貼り付けられるとともに、この継ぎ目を覆う第２防水テープとからなり、
前記ジョイント領域には、この防水手段の上から前記ジョイント用屋根材が取り付けられていることを特徴とする屋根パネルの連結構造。
【請求項２】
請求項１に記載の屋根パネルの連結構造において、
前記下層シートの幅寸法は、前記上層シートの幅寸法よりも短く設定されていることを特徴とする屋根パネルの連結構造。
【請求項３】
請求項１または２に記載の屋根パネルの連結構造において、
前記複数の屋根材は、屋根の勾配方向に沿って下方から上方に向かって複数段に重なり合うようにして、かつ、前記パネル本体の上下方向に沿って所定の段数群ごとに繰り返すようにして、前記防水シートの上面に取り付けられており、この所定の段数群を構成する屋根材は、段ごとに所定のずらし寸法で横方向にずらして配置されており、
前記ジョイント用屋根材は、前記隣り合うパネル本体の前記ジョイント領域に臨む複数の屋根材間に架け渡されるようにして、かつ、屋根の勾配方向に沿って下方から上方に向かって複数段に重なり合うようにして、前記ジョイント領域に取り付けられていることを特徴とする屋根パネルの連結構造。
【請求項４】
請求項３に記載の屋根パネルの連結構造において、
前記屋根材は、可撓性を有していることを特徴とする屋根パネルの連結構造。
【請求項５】
パネル本体と、このパネル本体の上面に敷設されるとともに、上層シートと下層シートとを有する防水シートと、この防水シートの上面に、前記パネル本体の両側端部から所定の間隔をあけて取り付けられる複数の屋根材とを備える屋根パネルを、屋根の勾配方向と直交する方向に沿って連結する屋根パネルの連結方法であって、
前記パネル本体の両側端部付近を、隣り合うパネル本体の隣り合う側端部間に架け渡されるジョイント用屋根材を取り付けるためのジョイント領域とし、
前記複数の屋根パネル同士を、屋根の勾配方向と直交する方向に沿って接合した後、前記隣り合うパネル本体の隣り合う側端部間の継ぎ目に臨む下層シート同士の継ぎ目に沿って第１防水テープを貼り付けるとともに、この第１防水テープの両側縁部に沿ってシーリング材を設け、
これら第１防水テープおよびシーリング材を前記隣り合うパネル本体の隣り合う上層シート同士によって被覆するとともに、これら隣り合う上層シート同士の継ぎ目に沿って第２防水テープを貼り付け、
その後、前記ジョイント領域に、前記隣り合う上層シートおよび第２防水テープを被覆するようにして前記ジョイント用屋根材を取り付けることを特徴とする屋根パネルの連結方法。
【発明の詳細な説明】
【技術分野】
【０００１】
本発明は、複数の屋根パネル同士を、屋根の勾配方向と直交する方向に沿って連結してなる屋根パネルの連結構造および連結方法に関する。
【背景技術】
【０００２】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
そして、予め工場生産された屋根パネルを建物の屋根部分に設置することによって屋根が形成されるようになっている（例えば、特許文献１参照）。
【特許文献１】特開２００３−０２０７５１号公報
【発明の開示】
【発明が解決しようとする課題】
【０００３】
ところで、特許文献１に記載のような屋根パネルの上面に、複数の屋根材を予め工場等で取り付けておき、予め屋根材が取り付けられた屋根パネルを用いて屋根を施工することによって、現場での作業を軽減したいという要望がある。
このように予め屋根パネルの上面に複数の屋根材を取り付けておく場合、屋根パネルの上面に防水シートを敷設してから、この防水シートの上面に複数の屋根材を取り付けていく場合がある。
【０００４】
ところが、複数の屋根パネルを、これら屋根パネルの側端部同士を突き合わせるようにして屋根の勾配方向と直交する方向に連結する際に、例えば、これら屋根パネルの上面にそれぞれ敷設される防水シートの端部同士が単に突き合わされるだけであった場合、隣り合う屋根パネル間の防水性を向上させることが困難である。このため、これら隣り合う屋根パネル間の防水性を向上させたいという要望があった。
【０００５】
本発明の課題は、隣り合う屋根パネル間の防水性を向上させることが可能な屋根パネルの連結構造および連結方法を提供することを目的とする。
【課題を解決するための手段】
【０００６】
請求項１に記載の発明は、例えば図１〜図６に示すように、パネル本体２と、このパネル本体２の上面に敷設されるとともに、上層シート３ａ（３０ａ）と下層シート３ｂ（３０ｂ）とを有する防水シート３（３０）と、この防水シート３（３０）の上面に、前記パネル本体２の両側端部から所定の間隔をあけて取り付けられる複数の屋根材４とを備える屋根パネル１を、屋根の勾配方向と直交する方向に沿って連結してなる屋根パネル１の連結構造であって、
前記パネル本体２の両側端部付近は、隣り合うパネル本体２の隣り合う側端部間に架け渡されるジョイント用屋根材５を取り付けるためのジョイント領域Ｔとされており、このジョイント領域Ｔには、前記隣り合うパネル本体２の隣り合う側端部間の継ぎ目を防水する防水手段が設けられており、
この防水手段は、前記隣り合うパネル本体２の隣り合う下層シート３ｂ（３０ｂ）同士と、
これら隣り合う下層シート３ｂ（３０ｂ）同士の継ぎ目に沿って貼り付けられるとともに、この継ぎ目を覆う第１防水テープ６と、
この第１防水テープ６の両側縁部に沿って設けられるシーリング材７と、
これら第１防水テープ６およびシーリング材７を被覆する前記隣り合うパネル本体２の隣り合う上層シート３ａ（３０ａ）同士と、
これら隣り合う上層シート３ａ（３０ａ）同士の継ぎ目に沿って貼り付けられるとともに、この継ぎ目を覆う第２防水テープ８とからなり、
前記ジョイント領域Ｔには、この防水手段の上から前記ジョイント用屋根材５が取り付けられていることを特徴とする。
【０００７】
請求項１に記載の発明によれば、前記防水手段は、前記下層シート３ｂ（３０ｂ）同士と、これら隣り合う下層シート３ｂ（３０ｂ）同士の継ぎ目を覆う第１防水テープ６と、この第１防水テープ６の両側縁部に沿って設けられるシーリング材７と、これら第１防水テープ６およびシーリング材７を被覆する前記上層シート３ａ（３０ａ）同士と、これら隣り合う上層シート３ａ（３０ａ）同士の継ぎ目を覆う第２防水テープ８とからなり、前記ジョイント領域Ｔには、この防水手段の上から前記ジョイント用屋根材５が取り付けられているので、これら防水手段およびジョイント用屋根材５によって、前記隣り合うパネル本体２の隣り合う側端部間の継ぎ目を多重に被覆できることとなる。
すなわち、雨水等は、前記ジョイント用屋根材５の裏面側に浸入しようとし、さらに、前記第２防水テープ８の裏面側からパネル本体２に到達するまで浸入しようとするが、雨水等は、まず、前記ジョイント用屋根材５によって浸入を阻まれることとなる。万が一、雨水等が、このジョイント用屋根材５の裏面側に浸入したとしても、多重に重なり合う前記第２防水テープ８、隣り合う上層シート３ａ（３０ａ）、シーリング材７、第１防水テープ６、隣り合う下層シート３ｂ（３０ｂ）によって確実に浸入を阻まれることとなる。
これによって、雨水等は、前記隣り合うパネル本体２に到達しないので、隣り合う屋根パネル１間の防水性を向上させることが可能となる。
【０００８】
請求項２に記載の発明は、例えば図６に示すように、請求項１に記載の屋根パネル１の連結構造において、
前記下層シート３０ｂの幅寸法は、前記上層シート３０ａの幅寸法よりも短く設定されていることを特徴とする。
【０００９】
請求項２に記載の発明によれば、前記下層シート３０ｂの幅寸法は、前記上層シート３０ａの幅寸法よりも短く設定されているので、前記隣り合うパネル本体２の隣り合う側端部間の継ぎ目付近の防水性を低下させることなく、前記屋根パネル１の製造に係るコストを低減させることができる。
【００１０】
請求項３に記載の発明は、例えば図１，図５および図６に示すように、請求項１または２に記載の屋根パネル１の連結構造において、
前記複数の屋根材４は、屋根の勾配方向に沿って下方から上方に向かって複数段に重なり合うようにして、かつ、前記パネル本体２の上下方向に沿って所定の段数群４０ごとに繰り返すようにして、前記防水シート３の上面に取り付けられており、この所定の段数群４０を構成する屋根材４は、段ごとに所定のずらし寸法で横方向にずらして配置されており、
前記ジョイント用屋根材５は、前記隣り合うパネル本体２の前記ジョイント領域Ｔに臨む複数の屋根材４間に架け渡されるようにして、かつ、屋根の勾配方向に沿って下方から上方に向かって複数段に重なり合うようにして、前記ジョイント領域Ｔに取り付けられていることを特徴とする。
【００１１】
請求項３に記載の発明によれば、前記ジョイント用屋根材５は、前記隣り合うパネル本体２の前記ジョイント領域Ｔに臨む複数の屋根材４間に架け渡されるようにして、かつ、屋根の勾配方向に沿って下方から上方に向かって複数段に重なり合うようにして、前記ジョイント領域Ｔに取り付けられているので、このジョイント用屋根材５を、前記ジョイント領域Ｔに臨む屋根材４のうち、自身よりも上段に位置する屋根材４の裏面側に差し込みながら、前記隣り合うパネル本体２の前記ジョイント領域Ｔに臨む複数の屋根材４間に架け渡すようにして、前記ジョイント領域Ｔに取り付けでき、前記ジョイント領域Ｔに臨む屋根材４と、このジョイント領域Ｔに取り付けられるジョイント用屋根材５とを、下方から上方に向かって重ね合わせることができる。
これによって、前記ジョイント用屋根材５が取り付けられた状態の隣り合う屋根パネル１上を、雨水等が流れる際に、上方に位置する屋根材４およびジョイント用屋根材５の上を流れる雨水等は、下方に位置する屋根材４およびジョイント用屋根材５の上へと確実に流れ落ちることとなるので、前記ジョイント領域Ｔにおいても、その他の屋根部分と同等の屋根機能を発揮することができる。
【００１２】
請求項４に記載の発明は、例えば図１，図５および図６に示すように、請求項３に記載の屋根パネル１の連結構造において、
前記屋根材４は、可撓性を有していることを特徴とする。
【００１３】
請求項４に記載の発明によれば、前記屋根材４は、可撓性を有していることから、前記ジョイント用屋根材５を、前記ジョイント領域Ｔに臨む屋根材４のうち、自身よりも上段に位置する屋根材４の裏面側に差し込むようにして取り付ける際に、このジョイント領域Ｔに臨む屋根材４をめくり上げやすくなり、前記ジョイント用屋根材５を、前記ジョイント領域Ｔに臨む屋根材４の裏面側に容易に差し込むことができるので、施工性を向上させることができる。
【００１４】
請求項５に記載の発明は、例えば図１〜図６に示すように、パネル本体２と、このパネル本体２の上面に敷設されるとともに、上層シート３ａ（３０ａ）と下層シート３ｂ（３０ｂ）とを有する防水シート３（３０）と、この防水シート３（３０）の上面に、前記パネル本体２の両側端部から所定の間隔をあけて取り付けられる複数の屋根材４とを備える屋根パネル１を、屋根の勾配方向と直交する方向に沿って連結する屋根パネル１の連結方法であって、
前記パネル本体２の両側端部付近を、隣り合うパネル本体２の隣り合う側端部間に架け渡されるジョイント用屋根材５を取り付けるためのジョイント領域Ｔとし、
前記複数の屋根パネル１同士を、屋根の勾配方向と直交する方向に沿って接合した後、前記隣り合うパネル本体２の隣り合う側端部間の継ぎ目に臨む下層シート３ｂ（３０ｂ）同士の継ぎ目に沿って第１防水テープ６を貼り付けるとともに、この第１防水テープ６の両側縁部に沿ってシーリング材７を設け、
これら第１防水テープ６およびシーリング材７を前記隣り合うパネル本体２の隣り合う上層シート３ａ（３０ａ）同士によって被覆するとともに、これら隣り合う上層シート３ａ（３０ａ）同士の継ぎ目に沿って第２防水テープ８を貼り付け、
その後、前記ジョイント領域Ｔに、前記隣り合う上層シート３ａ（３０ａ）および第２防水テープ８を被覆するようにして前記ジョイント用屋根材５を取り付けることを特徴とする。
【００１５】
請求項５に記載の発明によれば、前記複数の屋根パネル１同士を、屋根の勾配方向と直交する方向に沿って接合した後、前記隣り合うパネル本体２の隣り合う側端部間の継ぎ目に臨む下層シート３ｂ（３０ｂ）同士の継ぎ目に沿って第１防水テープ６を貼り付けるとともに、この第１防水テープ６の両側縁部に沿ってシーリング材７を設け、これら第１防水テープ６およびシーリング材７を前記隣り合うパネル本体２の隣り合う上層シート３ａ（３０ａ）同士によって被覆するとともに、これら隣り合う上層シート３ａ（３０ａ）同士の継ぎ目に沿って第２防水テープ８を貼り付け、その後、前記ジョイント領域Ｔに、前記隣り合う上層シート３ａ（３０ａ）および第２防水テープ８を被覆するようにして前記ジョイント用屋根材５を取り付けるので、前記ジョイント用屋根材５、第２防水テープ８、隣り合う上層シート３ａ（３０ａ）、シーリング材７、第１防水テープ６、隣り合う下層シート３ｂ（３０ｂ）によって、前記隣り合うパネル本体２の隣り合う側端部間の継ぎ目を多重に被覆できることとなる。
すなわち、雨水等は、前記ジョイント用屋根材５の裏面側に浸入しようとし、さらに、前記第２防水テープ８の裏面側からパネル本体２に到達するまで浸入しようとするが、雨水等は、まず、前記ジョイント用屋根材５によって浸入を阻まれることとなる。万が一、雨水等が、このジョイント用屋根材５の裏面側に浸入したとしても、多重に重なり合う前記第２防水テープ８、隣り合う上層シート３ａ（３０ａ）、シーリング材７、第１防水テープ６、隣り合う下層シート３ｂ（３０ｂ）によって確実に浸入を阻まれることとなる。
これによって、雨水等は、前記隣り合うパネル本体２に到達しないので、隣り合う屋根パネル１間の防水性を向上させることが可能となる。
【発明の効果】
【００１６】
本発明によれば、隣り合うパネル本体の隣り合う側端部間の継ぎ目を防水する防水手段は、隣り合うパネル本体の隣り合う下層シート同士と、これら隣り合う下層シート同士の継ぎ目に沿って貼り付けられるとともに、この継ぎ目を覆う第１防水テープと、この第１防水テープの両側縁部に沿って設けられるシーリング材と、これら第１防水テープおよびシーリング材を被覆する隣り合うパネル本体の隣り合う上層シート同士と、これら隣り合う上層シート同士の継ぎ目に沿って貼り付けられるとともに、この継ぎ目を覆う第２防水テープとからなり、ジョイント領域には、この防水手段の上からジョイント用屋根材が取り付けられているので、これら防水手段およびジョイント用屋根材によって、隣り合うパネル本体の隣り合う側端部間の継ぎ目を多重に被覆できることとなる。
すなわち、雨水等は、ジョイント用屋根材の裏面側に浸入しようとし、さらに、第２防水テープの裏面側からパネル本体に到達するまで浸入しようとするが、雨水等は、まず、ジョイント用屋根材によって浸入を阻まれることとなる。万が一、雨水等が、このジョイント用屋根材の裏面側に浸入したとしても、多重に重なり合う第２防水テープ、隣り合う上層シート、シーリング材、第１防水テープ、隣り合う下層シートによって確実に浸入を阻まれることとなる。
これによって、雨水等は、隣り合うパネル本体に到達しないので、隣り合う屋根パネル間の防水性を向上させることが可能となる。
【発明を実施するための最良の形態】
【００１７】
以下、図面を参照して本発明の実施の形態について説明する。
【００１８】
本実施の形態の屋根パネル１の連結構造は、図１〜図５に示すように、パネル本体２と、このパネル本体２の上面に敷設されるとともに、上層シート３ａと下層シート３ｂとを有する防水シート３と、この防水シート３の上面に、前記パネル本体２の両側端部から所定の間隔をあけて取り付けられる複数の屋根材４とを備える屋根パネル１を、屋根の勾配方向と直交する方向に沿って連結してなるものであり、前記パネル本体２の両側端部付近は、隣り合うパネル本体２の隣り合う側端部間に架け渡されるジョイント用屋根材５を取り付けるためのジョイント領域Ｔとされており、このジョイント領域Ｔには、前記隣り合うパネル本体２の隣り合う側端部間の継ぎ目を防水する防水手段が設けられている。
また、この防水手段は、前記隣り合うパネル本体２の隣り合う下層シート３ｂ同士と、これら隣り合う下層シート３ｂ同士の継ぎ目に沿って貼り付けられるとともに、この継ぎ目を覆う第１防水テープ６と、この第１防水テープ６の両側縁部に沿って設けられるシーリング材７と、これら第１防水テープ６およびシーリング材７を被覆する前記隣り合うパネル本体２の隣り合う上層シート３ａ同士と、これら隣り合う上層シート３ａ同士の継ぎ目に沿って貼り付けられるとともに、この継ぎ目を覆う第２防水テープ８とからなり、前記ジョイント領域Ｔには、この防水手段の上から前記ジョイント用屋根材５が取り付けられている。
【００１９】
ここで、前記パネル本体２は、図２〜図５に示すように、縦横の框材が矩形状に組み立てられるとともに、矩形枠の内部に補助棧材が縦横に組み付けられて枠体２ａが構成され、この枠体２ａの上面に、野地板となる面材２ｂが貼設されたものであり、内部中空な構造となっている。さらに、その内部中空な部分には、通常、グラスウールやロックウール等の断熱材が装填される。
【００２０】
また、前記面材２ｂの上面には、上述のように、前記パネル本体２の防水性を向上させる防水シート３が敷設されている。前記面材２ｂの上面に前記防水シート３を敷設する際は、これら面材２ｂと防水シート３との間に接着剤を塗布して、これら面材２ｂと防水シート３とを接着することが好ましい。
なお、このように接着剤によって前記防水シート３を前記面材２ｂの上面に接着するだけに限られず、例えばステープル等の固定材によって前記防水シート３を前記面材２ｂに固定するようにしても良い。
なお、この防水シート３としては、例えばアスファルトルーフィングや塩化ビニルシート等が用いられるようになっている。
【００２１】
さらに、この防水シート３は、上述のように前記上層シート３ａと下層シート３ｂとを有しており、これら上層シート３ａと下層シート３ｂとの間には、例えば、前記上層シート３ａを、前記下層シート３ｂから剥離可能とするとともに、これら上層シート３ａおよび下層シート３ｂを再粘着可能な粘着剤が塗布されている。
なお、このように前記上層シート３ａと下層シート３ｂとを剥離可能に貼り合わせておくだけに限られず、これら上層シート３ａおよび下層シート３ｂは、例えば現場で貼り合わせるようにしてもよい。すなわち、このように現場で貼り合わせる際は、まず、前記下層シート３ｂを前記面材２ｂに敷設し、その上から前記上層シート２ａを被せる。この時、後工程において、前記隣り合う下層シート３ｂ同士の継ぎ目に沿って前記第１防水テープ６を貼り付けできるように、前記上層シート３ａおよび下層シート３ｂ同士を部分的に貼り合わせておくようにする。
また、このように前記上層シート３ａおよび下層シート３ｂ同士を部分的に貼り合わせておく際は、接着剤を用いてもよく、ステープル等の固定材を用いてもよい。
【００２２】
また、この防水シート３は、前記パネル本体２の面材２ｂの面積と略等しい面積に設定されており、複数のパネル本体２同士を隣接させた際は、これら隣り合うパネル本体２の隣り合う側端部同士が突き合わされると同時に、隣り合うパネル本体２の上面にそれぞれ敷設された防水シート３の側端部同士が突き合わされることとなる。
【００２３】
なお、本実施の形態の防水シート３は、以上のような形態だけに限られるものではなく、例えば図６に示すような形態の防水シート３０を用いるようにしてもよい。
この防水シート３０は、上層シート３０ａと下層シート３０ｂとからなり、この下層シート３０ｂの幅寸法は、前記上層シート３０ａの幅寸法よりも短く設定されている。例えば、この下層シート３ｂの幅寸法は、２００ｍｍ以上に設定されている。
すなわち、この下層シート３０ｂは、図６に示すように、例えば前記ジョイント領域Ｔの範囲内に納まるような幅寸法に設定されている。
【００２４】
そして、このように前記下層シート３０ｂの幅寸法は、前記上層シート３０ａの幅寸法よりも短く設定されているので、前記隣り合うパネル本体２の隣り合う側端部間の継ぎ目付近の防水性を低下させることなく、前記屋根パネル１の製造に係るコストを低減させることができるようになっている。
【００２５】
一方、前記屋根材４は、図１に示すように、表面に、働き部分としての露出部４ａと、自身の上段に位置する屋根材４の裏面側に差し込まれるようにして配置される差込部４ｂとを備えている。
また、前記露出部４ａにはランダムに模様が表出する構成となっている。また、この模様を立体的に形成することで、陰影をつけることができ、意匠性の向上を図ることができる。
【００２６】
さらに、前記差込部４ｂには、前記屋根材４の幅方向に沿って釘打ちライン（図示せず）が設けられており、前記複数の屋根材４は、この釘打ちラインに沿って、釘等の止着材を複数打ち込むことによって前記パネル本体２の表面に取付固定されている。
【００２７】
そして、これら複数の屋根材４は、図１に示すように、屋根の勾配方向に沿って下方から上方に向かって複数段に重なり合うようにして、かつ、前記パネル本体２の上下方向に沿って所定の段数群４０ごとに繰り返すようにして、前記防水シート３の上面に取り付けられており、この所定の段数群４０を構成する屋根材４は、段ごとに所定のずらし寸法で横方向にずらして配置されている。
【００２８】
前記所定の段数群４０とは、前記パネル本体２の上面に下方から上方に向かって複数段に重なり合うようにして取り付けられる複数の屋根材４を、所定の段数ごとにグループ化したものである。
例えば、本実施の形態においては、３段ずつの複数の屋根材４が一つのグループとしてまとめられているが、２段や４段でもよく、５段以上でもよい。
【００２９】
また、所定の段数群４０を構成する屋根材４は、段ごとに所定のずらし寸法で横方向にずらして配置されているので、複数の屋根材４を備える屋根パネル１を製造する際に、屋根材４の取付位置やジョイント用屋根材５の大きさを規格化することができる。これによって、現場等において、屋根材４の段ごとの所定のずらし寸法にバラつきが生じた際に、このずらし寸法のバラつきを吸収するために、例えば前記ジョイント領域Ｔに臨む屋根材４の取付位置を１枚１枚調節したり、前記ジョイント用屋根材５の大きさを１枚１枚調節したりする必要がないので、屋根の施工に係る手間をより軽減でき、施工性を向上させることが可能となる。
【００３０】
なお、本実施の形態の屋根材４としては、例えばアスファルトシングルやファイバーグラスシングル等が用いられており、耐久性や防火性、防水性、耐風性に優れるとともに、可撓性を有している。このように前記屋根材４が可撓性を有しているので、例えば屋根の施工を行う際にめくり上げやすく、屋根材４同士を重ね合わせやすいという利点がある。
【００３１】
一方、前記ジョイント用屋根材５は、例えば前記屋根材４を、この屋根材４の幅方向に沿って分割することによって形成されており、これら屋根材４およびジョイント用屋根材５は、同種のデザインや、同等の機能を有している。
【００３２】
また、このようなジョイント用屋根材５は、図１，図５および図６に示すように、前記隣り合うパネル本体２の前記ジョイント領域Ｔに臨む複数の屋根材４間に架け渡されるようにして、かつ、屋根の勾配方向に沿って下方から上方に向かって複数段に重なり合うようにして、前記ジョイント領域Ｔに取り付けられている。
【００３３】
すなわち、このジョイント用屋根材５を、前記ジョイント領域Ｔに臨む屋根材４のうち、自身よりも上段に位置する屋根材４の裏面側に差し込みながら、前記隣り合うパネル本体２の前記ジョイント領域Ｔに臨む複数の屋根材４間に架け渡すようにして、前記ジョイント領域Ｔに取り付けでき、前記ジョイント領域Ｔに臨む屋根材４と、このジョイント領域Ｔに取り付けられるジョイント用屋根材５とを、下方から上方に向かって重ね合わせることができる。
【００３４】
これによって、前記ジョイント用屋根材５が取り付けられた状態の隣り合う屋根パネル１上を、雨水等が流れる際に、上方に位置する屋根材４およびジョイント用屋根材５の上を流れる雨水等は、下方に位置する屋根材４およびジョイント用屋根材５の上へと確実に流れ落ちることとなるので、前記ジョイント領域Ｔにおいても、その他の屋根部分と同等の屋根機能を発揮することができる。
【００３５】
また、前記複数の屋根材４は、上述のように可撓性を有しているので、例えば前記ジョイント用屋根材５を、前記ジョイント領域Ｔに臨む屋根材４のうち、自身よりも上段に位置する屋根材４の裏面側に差し込むようにして取り付ける際に、このジョイント領域Ｔに臨む屋根材４をめくり上げやすくなり、前記ジョイント用屋根材５を、前記ジョイント領域Ｔに臨む屋根材４の裏面側に容易に差し込むことができるので、施工性を向上させることができるという利点がある。
【００３６】
一方、本実施の形態の第１防水テープ６は、例えば不織布を基材とし、この基材の少なくとも片面にブチルゴム系の感圧性粘着剤を塗布したものであり、耐水性、気密性、耐候性に優れている。
なお、この第１防水テープ６の粘着剤を塗布する面は、少なくとも前記下層シート３ｂに接する面であるが、この下層シート３ｂに接する面とは反対の面に粘着剤を塗布してもよい。すなわち、前記基材の両面に粘着剤を塗布しておけば、前記隣り合う下層シート３ｂ同士の継ぎ目に沿って貼り付けできるとともに、この第１防水テープ６の上面に前記隣り合う上層シート３ａ同士が重なり合う際に、これら上層シート３ａ同士を、前記第１防水テープ６に貼り付けることができる。
【００３７】
また、本実施の形態のシーリング材７は、例えば、耐老化性、耐候性、耐水性、耐薬品性、耐寒性、弾力性、柔軟性、水密性、気密性、接着性等に優れるブチルコーキング等を用いている。
【００３８】
また、本実施の形態の第２防水テープ８は、前記第１防水テープ６と同じく、例えば不織布を基材とし、この基材の少なくとも片面にブチルゴム系の感圧性粘着剤を塗布したものであり、耐水性、気密性、耐候性に優れている。
なお、この第２防水テープ８の粘着剤を塗布する面は、少なくとも前記上層シート３ａに接する面であるが、この上層シート３ａに接する面とは反対の面に粘着剤を塗布してもよい。すなわち、前記基材の両面に粘着剤を塗布しておけば、前記隣り合う上層シート３ａ同士の継ぎ目に沿って貼り付けできるとともに、この第２防水テープ８の上面に前記ジョイント用屋根材５が取り付けられる際に、このジョイント用屋根材５を、前記第２防水テープ８に貼り付けることができる。
【００３９】
次に、前記屋根パネル１を、屋根の勾配方向と直交する方向に沿って連結する屋根パネル１の連結方法について説明する。
【００４０】
まず、工場等で、図１に示すような複数の屋根材４が取り付けられた屋根パネル１を複数製造する。
つまり、前記パネル本体２を、縦横の框材を矩形状に組み立てるとともに、矩形枠の内部に補助棧材を縦横に組み付けて枠体２ａを構成し、この枠体２ａの上面に、野地板となる面材２ｂを貼設することによって形成する。
【００４１】
このパネル本体２の上面に前記防水シート３を貼設した後、前記複数の屋根材４を、前記防水シート３の上面に、前記パネル本体２の両側端部から所定の間隔をあけて、かつ屋根の勾配方向に沿って下方から上方に向かって複数段に重なり合うようにして取り付けていく。
なお、前記パネル本体２の両側端部付近は、前記ジョイント用屋根材５を取り付けるためのジョイント領域Ｔとする。
【００４２】
これら複数の屋根材４を前記パネル本体２に取り付ける際は、まず、前記パネル本体２の下端部に配置される屋根材４から取り付けていく。この下端部、最下方の屋根材４を固定する際は、この屋根材４の表面の釘打ちラインに沿って複数の釘９を打ち込んで、前記屋根材４を前記パネル本体２の上面に固定する。
【００４３】
続いて、前記最下方の屋根材４の上段に重なり合うようにして配置される屋根材４を取り付ける際は、この屋根材４の釘打ちライン４ｃに沿って複数の釘を打ち込んで、前記パネル本体の上面に固定する。
以上のような作業を繰り返して、これら複数の屋根材４を、前記パネル本体２の上下方向に沿って所定の段数群４０ごとに繰り返すようにして、かつ、この所定の段数群４０を構成する屋根材４を、段ごとに所定のずらし寸法で横方向にずらして配置するようにして、前記防水シート３の上面に取り付けていく。
【００４４】
続いて、以上のようにして製造された屋根パネル１を、現場に搬送し、建物躯体の上部の屋根部分に複数設置して屋根を施工する。
まず、前記複数の屋根パネル１同士を、図１に示すように、屋根の勾配方向と直交する方向に沿って接合する。
【００４５】
その後、図２に示すように、前記隣り合うパネル本体２の隣り合う側端部間の継ぎ目に臨む下層シート３ｂ同士の継ぎ目に沿って第１防水テープ６を貼り付ける。
また、図３に示すように、この第１防水テープ６の両側縁部に沿ってシーリング材７を設ける。
続いて、図４に示すように、これら第１防水テープ６およびシーリング材７を前記隣り合うパネル本体２の隣り合う上層シート３ａ同士によって被覆する。
また、図５に示すように、これら隣り合う上層シート３ａ同士の継ぎ目に沿って第２防水テープ８を貼り付ける。
【００４６】
その後、前記ジョイント領域Ｔに、前記隣り合う上層シート３ａおよび第２防水テープ８を被覆するようにして前記ジョイント用屋根材５を取り付ける。
以上のような作業を行うことで、屋根の勾配方向と直交する方向に沿って隣り合う屋根パネル１同士を連結することができる。
【００４７】
本実施の形態によれば、前記防水手段は、前記下層シート３ｂ同士と、これら隣り合う下層シート３ｂ同士の継ぎ目を覆う第１防水テープ６と、この第１防水テープ６の両側縁部に沿って設けられるシーリング材７と、これら第１防水テープ６およびシーリング材７を被覆する前記上層シート３ａ同士と、これら隣り合う上層シート３ａ同士の継ぎ目を覆う第２防水テープ８とからなり、前記ジョイント領域Ｔには、この防水手段の上から前記ジョイント用屋根材５が取り付けられているので、これら防水手段およびジョイント用屋根材５によって、前記隣り合うパネル本体２の隣り合う側端部間の継ぎ目を多重に被覆できることとなる。
すなわち、雨水等は、前記ジョイント用屋根材５の裏面側に浸入しようとし、さらに、前記第２防水テープ８の裏面側からパネル本体２に到達するまで浸入しようとするが、雨水等は、まず、前記ジョイント用屋根材５によって浸入を阻まれることとなる。万が一、雨水等が、このジョイント用屋根材５の裏面側に浸入したとしても、多重に重なり合う前記第２防水テープ８、隣り合う上層シート３ａ、シーリング材７、第１防水テープ６、隣り合う下層シート３ｂによって確実に浸入を阻まれることとなる。
これによって、雨水等は、前記隣り合うパネル本体２に到達しないので、隣り合う屋根パネル１間の防水性を向上させることが可能となる。
【００４８】
なお、図２〜図６において、前記防水手段が、前記屋根材４の厚みに近い程の厚みをもって表現されているが、実際には薄物であるシートやテープ等をわかりやすく表現し、発明を理解しやすくするためである。これに伴って、この防水手段よりも厚みのある屋根材４およびジョイント用屋根材５も、前記パネル本体２と比較して、ある程度の厚みを持って表現されている。これら実際の寸法よりも厚みのある状態で表現されている部分は、発明に直接関係する部分である。
【図面の簡単な説明】
【００４９】
【図１】本発明の実施の形態に係る屋根パネルと、屋根パネル同士の接合状態を示す平面図である。
【図２】本発明の屋根パネルの連結構造の一部を示す概略断面図である。
【図３】本発明の屋根パネルの連結構造の一部を示す概略断面図である。
【図４】本発明の屋根パネルの連結構造の一部を示す概略断面図である。
【図５】本発明の屋根パネルの連結構造の一部を示す概略断面図である。
【図６】本発明の屋根パネルの連結構造の一部を示す概略断面図である。
【符号の説明】
【００５０】
１  屋根パネル
２  パネル本体
３  防水シート
４  屋根材
５  ジョイント用屋根材
６  第１防水テープ
７  シーリング材
８  第２防水テープ
Ｔ  ジョイント領域
【図１】
2009270369.tif 000003
【図２】
2009270369.tif 000004
【図３】
2009270369.tif 000005
【図４】
2009270369.tif 000006
【図５】
2009270369.tif 000007
【図６】
2009270369.tif 000008